(57)【要約】【課題】液晶テレビジョン受像機がスタンドに支持されたＡＶシステムを薄型化する。【解決手段】スタンド２の支柱部分２１の上部に液晶テレビジョン受像機３が支持されている。支柱部分２１の下部には周辺機器部５が、液晶テレビジョン受像機３の下方に位置して液晶テレビジョン受像機３よりセットバックする形で垂直に取り付けられている。これにより、スタンド２周辺を薄型化することができ、液晶テレビジョン受像機３が薄ければ、ＡＶシステム１全体としても薄型になる。周辺機器部５を着脱自在とすれば、拡張性に優れ、メンテナンスが容易となる。周辺機器部５の天面に操作／表示部７を配置すると、操作性および視認性が良好となる。【選択図】図１
2008085811.tif 000002
【特許請求の範囲】
【請求項１】
表示装置がスタンドに支持されたＡＶシステムであって、
前記スタンドに周辺機器部が垂直に取り付けられていることを特徴とするＡＶシステム。
【請求項２】
前記周辺機器部は、前記表示装置の下方に位置していることを特徴とする請求項１に記載のＡＶシステム。
【請求項３】
前記周辺機器部は、前記表示装置よりセットバックしていることを特徴とする請求項１または２に記載のＡＶシステム。
【請求項４】
前記周辺機器部は、前記スタンドに対して着脱自在となっていることを特徴とする請求項１乃至３のいずれかに記載のＡＶシステム。
【請求項５】
前記周辺機器部は、マトリックス配置で配列された複数個の周辺機器ユニットから構成されていることを特徴とする請求項１乃至４のいずれかに記載のＡＶシステム。
【請求項６】
前記周辺機器部は、縦方向に配列された複数個の周辺機器ユニットから構成され、
これらの周辺機器ユニットは、横幅が揃っていることを特徴とする請求項１乃至４のいずれかに記載のＡＶシステム。
【請求項７】
前記周辺機器部は、横方向に配列された複数個の周辺機器ユニットから構成され、
これらの周辺機器ユニットは、高さが揃っていることを特徴とする請求項１乃至４のいずれかに記載のＡＶシステム。
【請求項８】
前記各周辺機器ユニットは、前記スタンドに対して個別に着脱自在となっていることを特徴とする請求項５乃至７のいずれかに記載のＡＶシステム。
【請求項９】
前記周辺機器ユニットは、天面に操作／表示部が配置されていることを特徴とする請求項５乃至８のいずれかに記載のＡＶシステム。
【請求項１０】
前記スタンドは、前記表示装置が支持される支柱部分と、前記表示装置側に屈曲する形で前記支柱部分に取り付けられた台座部分とを有する側面視Ｌ字形であることを特徴とする請求項１乃至９のいずれかに記載のＡＶシステム。
【請求項１１】
前記スタンドは、左右一対の脚部を有しており、
前記各脚部には、それぞれスピーカーが内蔵されていることを特徴とする請求項１乃至９のいずれかに記載のＡＶシステム。
【請求項１２】
請求項１０に記載のＡＶシステムの組立方法であって、
前記周辺機器部が前記スタンドの台座部分の上をスライドして当該スタンドに取り付けられることを特徴とする、ＡＶシステムの組立方法。
【発明の詳細な説明】
【技術分野】
【０００１】
本発明は、液晶テレビジョン受像機などの表示装置を含むＡＶシステムに関するものである。
【背景技術】
【０００２】
従来、この種のＡＶシステムとしては、表示装置用支持台に表示装置を回転（首振り）自在に支持し、チューナユニットやスピーカユニットなど各種の周辺機器ユニットを表示装置用支持台に横置き状態で着脱自在に収容したもの（以下、公知技術１という。）が提案されていた（例えば、特許文献１参照）。
【０００３】
また、これとは別のＡＶシステムとして、本体ケースに表示装置を並設し、ＶＴＲ、テープレコーダなど複数個の周辺機器ユニットをすべて本体ケース内に横置き状態で積み重ねて収納したもの（以下、公知技術２という。）が提案されていた（例えば、特許文献２参照）。
【特許文献１】特開２００６−１４６１００号公報（段落〔００３７〕の欄、図８）
【特許文献２】特開平６−３０２１７６号公報（段落〔００１４〕の欄、図１）
【発明の開示】
【発明が解決しようとする課題】
【０００４】
しかし、これでは次のような課題があった。
【０００５】
すなわち、公知技術１においては、周辺機器ユニットが表示装置用支持台に横置き状態で水平に収納されるため、必然的に表示装置用支持台が奥行きのあるものとなる。その結果、表示装置用支持台が手前に大きく張り出すことになり、特に薄型の表示装置では、邪魔であると同時に見栄えが悪い。
【０００６】
また、公知技術２においては、周辺機器ユニットが本体ケースに横置き状態で水平に収納されるため、必然的に本体ケースが奥行きのあるものとなる。したがって、薄型の表示装置を本体ケースと組み合わせる場合には、本体ケースが手前に大きく張り出すことになり、邪魔であると同時に見栄えが悪い。
【０００７】
本発明は、こうした課題を解決することが可能な、ＡＶシステムおよびその組立方法を提供することを目的とする。
【課題を解決するための手段】
【０００８】
本発明に係るＡＶシステムでは、表示装置がスタンドに支持されたＡＶシステムであって、前記スタンドに周辺機器部が垂直に取り付けられていることを特徴とする。
本発明に係るＡＶシステムでは、前記周辺機器部は、前記表示装置の下方に位置していることを特徴とする。
本発明に係るＡＶシステムでは、前記周辺機器部は、前記表示装置よりセットバックしていることを特徴とする。
本発明に係るＡＶシステムでは、前記周辺機器部は、前記スタンドに対して着脱自在となっていることを特徴とする。
本発明に係るＡＶシステムでは、前記周辺機器部は、マトリックス配置で配列された複数個の周辺機器ユニットから構成されていることを特徴とする。
本発明に係るＡＶシステムでは、前記周辺機器部は、縦方向に配列された複数個の周辺機器ユニットから構成され、これらの周辺機器ユニットは、横幅が揃っていることを特徴とする。
本発明に係るＡＶシステムでは、前記周辺機器部は、横方向に配列された複数個の周辺機器ユニットから構成され、これらの周辺機器ユニットは、高さが揃っていることを特徴とする。
本発明に係るＡＶシステムでは、前記各周辺機器ユニットは、前記スタンドに対して個別に着脱自在となっていることを特徴とする。
本発明に係るＡＶシステムでは、前記周辺機器ユニットは、天面に操作／表示部が配置されていることを特徴とする。
本発明に係るＡＶシステムでは、前記スタンドは、前記表示装置が支持される支柱部分と、前記表示装置側に屈曲する形で前記支柱部分に取り付けられた台座部分とを有する側面視Ｌ字形であることを特徴とする。
本発明に係るＡＶシステムでは、前記スタンドは、左右一対の脚部を有しており、前記各脚部には、それぞれスピーカーが内蔵されていることを特徴とする。
本発明に係るＡＶシステムの組立方法では、上記ＡＶシステムの組立方法であって、前記周辺機器部が前記スタンドの台座部分の上をスライドして当該スタンドに取り付けられることを特徴とする。
【発明の効果】
【０００９】
本発明によれば、周辺機器部がスタンドに垂直に取り付けられているので、スタンド周辺を薄型化することができる。その結果、表示装置が薄ければ、ＡＶシステム全体としても薄型になる。
【発明を実施するための最良の形態】
【００１０】
以下、本発明の実施形態を図面に基づいて説明する。
【００１１】
＜第１の実施形態＞
図１は本発明に係るＡＶシステムの第１の実施形態を示す図であって、（ａ）はその正面図、（ｂ）はその右側面図、（ｃ）はその背面図、（ｄ）は（ａ）のＤ−Ｄ線による断面図、（ｅ）は（ａ）のＥ−Ｅ線による断面図、図２は図１に示すＡＶシステムの組立手順を示す垂直断面図である。
【００１２】
ＡＶシステム１は、図１に示すように、スタンド２を備えており、スタンド２は、Ｈ字形の支柱部分２１と平板状の台座部分２２とを有する側面視Ｌ字形となっている。ここで、台座部分２２は、手前側に屈曲した状態で支柱部分２１に連結されている。
【００１３】
そして、スタンド２の台座部分２２の後端には、図２に示すように、溝２２ａが形成されている。
【００１４】
また、スタンド２の支柱部分２１の上部には、図１に示すように、液晶テレビジョン受像機３が支持されている。また、支柱部分２１の下部には周辺機器部５が、液晶テレビジョン受像機３の下方に位置して液晶テレビジョン受像機３よりセットバックする形で垂直に、つまり奥行きが最小となる姿勢で着脱自在に取り付けられている。
【００１５】
この周辺機器部５は、図１に示すように、１個の周辺機器ユニット６（具体的には、ＤＶＤプレーヤー６Ａ）から構成されており、スタンド２の横方向から挿抜する形で着脱自在となっている。ＤＶＤプレーヤー６Ａの天面には、図１（ａ）に示すように、操作／表示部７が配置されている。また、ＤＶＤプレーヤー６Ａの背面上部には、図２に示すように、固定フック６ａが取り付けられており、ＤＶＤプレーヤー６Ａの背面下部には回転ローラー６ｂが回転自在に装着されている。
【００１６】
このように、ＡＶシステム１においては、周辺機器部５がスタンド２に垂直に取り付けられているので、スタンド２周辺（スタンド２および周辺機器部５）を薄型化することができる。したがって、液晶テレビジョン受像機３が薄い場合には、その薄さを活かして全体がスリムで見栄えの良いＡＶシステム１を提供することが可能となる。
【００１７】
また、周辺機器部５は、液晶テレビジョン受像機３の下方に収納され、しかも液晶テレビジョン受像機３よりセットバックしているため、液晶テレビジョン受像機３の下方のスペースを有効に活用し、コンパクトなＡＶシステム１を実現することができる。
【００１８】
また、ＤＶＤプレーヤー６Ａは、その天面、すなわち収納状態の正面に操作／表示部７が配置されているので、操作性および視認性に優れる。
【００１９】
また、ＤＶＤプレーヤー６Ａは、スタンド２の横方向から挿抜する形で着脱自在となっているため、拡張性に優れるとともに、メンテナンスが容易となる。
【００２０】
また、スタンド２は、台座部分２２が手前、すなわち液晶テレビジョン受像機３側に屈曲しているため、床置き時の安定性に優れ、転倒を未然に防止することができる。
【００２１】
ところで、このＡＶシステム１を組み立てる際には、次の手順により、液晶テレビジョン受像機３およびＤＶＤプレーヤー６Ａをスタンド２に取り付ける。
【００２２】
まず、スタンド２の支柱部分２１に液晶テレビジョン受像機３を取り付ける。
【００２３】
次に、ＤＶＤプレーヤー６Ａをスタンド２に取り付ける。それには、図２（ａ）に示すように、スタンド２の台座部分２２の上側にＤＶＤプレーヤー６Ａを垂直に置いた後、図２（ｂ）に示すように、台座部分２２上でＤＶＤプレーヤー６Ａを後方へスライドさせる。すると、ＤＶＤプレーヤー６Ａは、回転ローラー６ｂが台座部分２２の溝２２ａに嵌入されるとともに、固定フック６ａが支柱部分２１の柱に嵌合するため、スタンド２に取り付けられた状態となる。
【００２４】
なお、ＤＶＤプレーヤー６Ａの背面下部には回転ローラー６ｂが回転自在に装着されているので、ＤＶＤプレーヤー６Ａのスライド動作は円滑に行われる。
【００２５】
ここで、ＡＶシステム１の組立作業が終了する。
【００２６】
このように、ＡＶシステム１の組立は、台座部分２２上でＤＶＤプレーヤー６Ａをスライドさせてスタンド２に取り付けるだけで済むので、簡易である。
【００２７】
＜第２の実施形態＞
図３は本発明に係るＡＶシステムの第２の実施形態を示す図であって、（ａ）はその正面図、（ｂ）はその右側面図、（ｃ）はその背面図、（ｄ）は（ａ）のＤ−Ｄ線による断面図、図４は図３に示すＡＶシステムの組立手順を示す図であって、（ａ）は側面図、（ｂ）、（ｃ）、（ｄ）は垂直断面図である。
【００２８】
ＡＶシステム１は、図３に示すように、スタンド２を備えており、スタンド２は、Ｈ字形の支柱部分２１と平板状の台座部分２２とを有する側面視Ｌ字形となっている。ここで、台座部分２２は、手前側に屈曲した状態で支柱部分２１に連結されている。
【００２９】
そして、スタンド２の台座部分２２の後端には、図４に示すように、ロック機構８が設けられており、ロック機構８は、ロックレバー８ａ、ロックレバー軸８ｂ、ロックレバーノブ８ｃ、ロックレバースプリング８ｄから構成されている。
【００３０】
また、スタンド２の支柱部分２１の上部には、図３に示すように、液晶テレビジョン受像機３が支持されている。また、支柱部分２１の下部には周辺機器部５が、液晶テレビジョン受像機３の下方に位置して液晶テレビジョン受像機３よりセットバックする形で垂直に、つまり奥行きが最小となる姿勢で着脱自在に取り付けられている。
【００３１】
この周辺機器部５は、図３に示すように、１個の周辺機器ユニット６（具体的には、ＤＶＤプレーヤー６Ａ）から構成されており、スタンド２の横方向から挿抜する形で着脱自在となっている。ＤＶＤプレーヤー６Ａの天面には、図３（ａ）に示すように、操作／表示部７が配置されている。また、ＤＶＤプレーヤー６Ａの背面上部には、図４に示すように、押さえアーム６ｃが取り付けられており、ＤＶＤプレーヤー６Ａの背面下部には回転ローラー６ｂが回転自在に装着されている。
【００３２】
このように、ＡＶシステム１においては、周辺機器部５がスタンド２に垂直に取り付けられているので、スタンド２周辺（スタンド２および周辺機器部５）を薄型化することができる。したがって、液晶テレビジョン受像機３が薄い場合には、その薄さを活かして全体がスリムで見栄えの良いＡＶシステム１を提供することが可能となる。
【００３３】
また、周辺機器部５は、液晶テレビジョン受像機３の下方に収納され、しかも液晶テレビジョン受像機３よりセットバックしているため、液晶テレビジョン受像機３の下方のスペースを有効に活用し、コンパクトなＡＶシステム１を実現することができる。
【００３４】
また、ＤＶＤプレーヤー６Ａは、その天面、すなわち収納状態の正面に操作／表示部７が配置されているので、操作性および視認性に優れる。
【００３５】
また、ＤＶＤプレーヤー６Ａは、スタンド２の横方向から挿抜する形で着脱自在となっているため、拡張性に優れるとともに、メンテナンスが容易となる。
【００３６】
また、スタンド２は、台座部分２２が手前、すなわち液晶テレビジョン受像機３側に屈曲しているため、床置き時の安定性に優れ、転倒を未然に防止することができる。
【００３７】
ところで、このＡＶシステム１を組み立てる際には、次の手順により、液晶テレビジョン受像機３およびＤＶＤプレーヤー６Ａをスタンド２に取り付ける。
【００３８】
まず、スタンド２の支柱部分２１に液晶テレビジョン受像機３を取り付ける。
【００３９】
次に、ＤＶＤプレーヤー６Ａをスタンド２に取り付ける。それには、図４（ａ）に示すように、スタンド２の台座部分２２の上側にＤＶＤプレーヤー６Ａを斜めに置いてＤＶＤプレーヤー６Ａの上部を支柱部分２１に当接させた後、図４（ｂ）に示すように、台座部分２２上でＤＶＤプレーヤー６Ａの下部を後方へスライドさせる。すると、ＤＶＤプレーヤー６Ａは、立ち上がって垂直に近付く。そして、ＤＶＤプレーヤー６Ａの下部をさらにスライドさせると、図４（ｃ）に示すように、ＤＶＤプレーヤー６Ａは、ロック機構８の上側に到達する。その結果、ロック機構８はＤＶＤプレーヤー６Ａの重量を受け、ロックレバー８ａおよびロックレバーノブ８ｃがロックレバースプリング８ｄを縮めながらロックレバー軸８ｂを中心として回転して後方が降下した状態となる。そして、ＤＶＤプレーヤー６Ａの下部を奥までスライドさせると、図４（ｄ）に示すように、回転ローラー６ｂがロックレバー８ａから後方に外れるので、ロックレバースプリング８ｄの弾性によってロックレバー８ａおよびロックレバーノブ８ｃが上昇する。その結果、ＤＶＤプレーヤー６Ａは、回転ローラー６ｂが台座部分２２のロック機構８に嵌入されるとともに、押さえアーム６ｃが支柱部分２１の柱に嵌合するため、スタンド２に取り付けられた状態となる。
【００４０】
なお、ＤＶＤプレーヤー６Ａの背面下部には回転ローラー６ｂが回転自在に装着されているので、ＤＶＤプレーヤー６Ａのスライド動作は円滑に行われる。
【００４１】
また、こうしてスタンド２に取り付けられたＤＶＤプレーヤー６Ａを取り外す場合には、ロック機構８のロックレバーノブ８ｃを足で踏み下ろす。すると、それまでロック機構８に嵌入されていたＤＶＤプレーヤー６Ａの背面下部の回転ローラー６ｂがロック機構８から外れるので、ＤＶＤプレーヤー６Ａをスタンド２から容易に取り外すことができる。
【００４２】
ここで、ＡＶシステム１の組立作業が終了する。
【００４３】
このように、ＡＶシステム１の組立は、台座部分２２上でＤＶＤプレーヤー６Ａをスライドさせてスタンド２に取り付けるだけで済むので、簡易である。
【００４４】
＜第３の実施形態＞
図５は本発明に係るＡＶシステムの第３の実施形態を示す斜視図である。
【００４５】
ＡＶシステム１は、図５に示すように、スタンド２を備えており、スタンド２は、左右一対の円柱状の脚部２３と、これらの脚部２３の下側に取り付けられた円盤状の足部２４とから構成されている。そして、各脚部２３にはそれぞれスピーカー９が内蔵されている。
【００４６】
また、これらの脚部２３間には、図５に示すように、液晶テレビジョン受像機３が架け渡されて支持されている。また、これらの脚部２３間には、周辺機器部５が、液晶テレビジョン受像機３の下方に位置して液晶テレビジョン受像機３よりセットバックする形で垂直に、つまり奥行きが最小となる姿勢で着脱自在に取り付けられている。この周辺機器部５は、２個の周辺機器ユニット６（具体的には、チューナー６Ｂおよびアンプ６Ｃ）が横方向（水平方向）に２列で配列する形で個別に着脱自在に設置されて構成されている。
【００４７】
このように、ＡＶシステム１においては、周辺機器部５がスタンド２に垂直に取り付けられているので、スタンド２周辺（スタンド２および周辺機器部５）を薄型化することができる。したがって、液晶テレビジョン受像機３が薄い場合には、その薄さを活かして全体がスリムで見栄えの良いＡＶシステム１を提供することが可能となる。
【００４８】
また、周辺機器部５は、液晶テレビジョン受像機３の下方に収納され、しかも液晶テレビジョン受像機３よりセットバックしているため、液晶テレビジョン受像機３の下方のスペースを有効に活用し、コンパクトなＡＶシステム１を実現することができる。
【００４９】
また、周辺機器部５は、スタンド２に対して着脱自在となっているため、拡張性に優れるとともに、メンテナンスが容易となる。しかも、周辺機器部５を構成するチューナー６Ｂおよびアンプ６Ｃは、個別に着脱自在となっているため、拡張やメンテナンスを行うときの作業性が向上する。
【００５０】
＜第４、５の実施形態＞
図６は本発明に係るＡＶシステムの第４の実施形態における周辺機器部を示す正面図、図７は本発明に係るＡＶシステムの第５の実施形態における周辺機器部を示す正面図である。
【００５１】
上述したとおり、第１、２の実施形態においては、１個の周辺機器ユニット６から構成された周辺機器部５について説明し、第３の実施形態においては、２個の周辺機器ユニット６が横方向に２列で配列された周辺機器部５について説明した。しかし、周辺機器ユニット６の個数は、別段これらに限定されるわけではなく、何個でも構わない。また、周辺機器ユニット６の個数が複数個である場合、これらの周辺機器ユニット６の配列方式については、上述したもの以外にも種々考えることができる。
【００５２】
例えば、図６に示すように、４個の周辺機器ユニット６を２段２列のマトリックス配置で配列してもよい。ここで、４個の周辺機器ユニット６は、すべて横幅が揃っているため、周辺機器ユニット６間の目地が縦方向にまっすぐ通り、見栄えが良好となる。また、４個の周辺機器ユニット６は、すべて高さが揃っているため、周辺機器ユニット６間の目地が横方向にまっすぐ通り、見栄えが良好となる。
【００５３】
或いはまた、図７に示すように、５個の周辺機器ユニット６を２段２〜３列のマトリックス配置で配列してもよい。ここで、上段の２個の周辺機器ユニット６は高さが揃っており、かつ下段の３個の周辺機器ユニット６は高さが揃っているため、周辺機器ユニット６間の目地が横方向にまっすぐ通り、見栄えが良好となる。
【００５４】
＜その他の実施形態＞
上述した各実施形態においては、表示装置として液晶テレビジョン受像機３を取り上げて説明したが、液晶テレビジョン受像機３以外の表示装置（例えば、ＰＤＰ（プラズマディスプレイパネル）、有機ＥＬ（エレクトロルミネセンス）ディスプレイ、ＳＥＤ（表面電界ディスプレイ）など）に本発明を適用することも可能である。
【図面の簡単な説明】
【００５５】
【図１】本発明に係るＡＶシステムの第１の実施形態を示す図であって、（ａ）はその正面図、（ｂ）はその右側面図、（ｃ）はその背面図、（ｄ）は（ａ）のＤ−Ｄ線による断面図、（ｅ）は（ａ）のＥ−Ｅ線による断面図である。
【図２】図１に示すＡＶシステムの組立手順を示す垂直断面図である。
【図３】本発明に係るＡＶシステムの第２の実施形態を示す図であって、（ａ）はその正面図、（ｂ）はその右側面図、（ｃ）はその背面図、（ｄ）は（ａ）のＤ−Ｄ線による断面図である。
【図４】図３に示すＡＶシステムの組立手順を示す図であって、（ａ）は側面図、（ｂ）、（ｃ）、（ｄ）は垂直断面図である。
【図５】本発明に係るＡＶシステムの第３の実施形態を示す斜視図である。
【図６】本発明に係るＡＶシステムの第４の実施形態における周辺機器部を示す正面図である。
【図７】本発明に係るＡＶシステムの第５の実施形態における周辺機器部を示す正面図である。
【符号の説明】
【００５６】
１……ＡＶシステム
２……スタンド
２１……支柱部分
２２……台座部分
２２ａ……溝
２３……脚部
２４……足部
３……液晶テレビジョン受像機（表示装置）
５……周辺機器部
６……周辺機器ユニット
６ａ……固定フック
６ｂ……回転ローラー
６ｃ……押さえアーム
６Ａ……ＤＶＤプレーヤー（周辺機器ユニット）
６Ｂ……チューナー（周辺機器ユニット）
６Ｃ……アンプ（周辺機器ユニット）
７……操作／表示部
８……ロック機構
８ａ……ロックレバー
８ｂ……ロックレバー軸
８ｃ……ロックレバーノブ
８ｄ……ロックレバースプリング
９……スピーカー
【図１】
2008085811.tif 000003
【図２】
2008085811.tif 000004
【図３】
2008085811.tif 000005
【図４】
2008085811.tif 000006
【図５】
2008085811.tif 000007
【図６】
2008085811.tif 000008
【図７】
2008085811.tif 000009